(57)【要約】【課題】  コンタクト寸法の設計の自由度があり、狭ピッチ、高密度の配列で、姿勢の揃った、充分な強度のコンタクトを有するコネクタの提供。【解決手段】  コンタクトは、圧入保持される部分から接触部へかけて、２つの導体が圧入方向側面で重ね合わせた増強構造とし、いずれか一方の導体の背面に突起を設け、ハウジングのコンタクト挿入孔の大きさは挿入側から予め定めた深さまでは重ね合わせ導体と突起が入る寸法としそれより先は、重ね合わせ導体の厚さ寸法とし、圧入したときに突起が孔内壁にめり込んで受ける反力でコンタクトを反対側の孔内壁に押し付け姿勢を揃え、他回路への接続は一方の導体のみに設け狭ピッチ化を図る。【選択図】        図１
2006286438.tif 000002
【特許請求の範囲】
【請求項１】
コンタクトが、保持ハウジングのコンタクト挿入孔に圧入保持され、コンタクト挿入孔を貫通した一方部分が、相手方コネクタのコンタクトとの接触部となり、他方側に他回路との接続部を有するコネクタにおいて、コンタクトは、圧入保持される部分から相手方コンタクトとの接触部へかけては２つの導体が互いに圧入方向側面で密着し合った合わせ構造となっており、先端が揃った状態のとき両導体の後方で面一となる圧入力作用面を有し、いずれか一方の導体の、合わせ面とは反対側の背面には、圧入状態で挿入孔内壁から反力を受けるための突起を有し、ハウジングのコンタクト挿入孔へ突起部分が圧入された状態では突起部分は孔内壁にめり込み状になり孔内壁から受ける反力により、重ね合わせ導体を反対側の孔内壁に押し付け固定するようになっており、保持ハウジング後方ではいずれか一方の導体が延びて他回路との接続部を形成していることを特徴とするコネクタ。
【請求項２】
コンタクトが、保持ハウジングのコンタクト挿入孔に圧入保持され、コンタクト挿入孔を貫通した一方部分が、相手方コネクタのコンタクトとの接触部となり、他方側に他回路との接続部を有するコネクタにおいて、コンタクトは、圧入保持される部分から相手方コンタクトとの接触部へかけては２つの導体が互いに圧入方向側面で絶縁材を挟んで密着し合った合わせ構造となっており、先端が揃った状態のとき両導体の後方で面一となる圧入力作用面を有し、いずれか一方の導体の、合わせ面とは反対側の背面には、圧入状態で挿入孔内壁から反力を受けるための突起を有し、ハウジングのコンタクト挿入孔へ突起部分が圧入された状態では突起部分は孔内壁にめり込み状になり孔内壁から受ける反力により、重ね合わせ導体を反対側の孔内壁に押し付け固定するようになっており、保持ハウジング後方では両方の導体が延びて他回路との接続部を形成していることを特徴とするコネクタ。
【発明の詳細な説明】
【技術分野】
【０００１】
本発明は、コンタクトのハウジングへの保持部や相手方コンタクトと接触する部分が導体の重ね合わせ構造となっているコネクタの技術分野に属する。
【背景技術】
【０００２】
従来、コネクタのコンタクトの強度強化の方法として、コンタクトの平面展開形状を金属平板からプレス打ち抜きしたものを折り重ねて用いることが行われている。
図４は、従来の折り重ねコンタクトの第１の例を示す図である。（ａ）は、コンタクト素材である金属平板から平面展開形状でプレス打ち抜きされたものである。
これは折線Ｌに対して左右対称な形状をしており、折線Ｌで折り曲げて重ねると（ｂ）のコンタクト１６のようになる。左側の方は二股フォーク状になっており、この部分は嵌合口１７に突出していることになる。
ここへ相手方コンタクト１８が嵌合して両コンタクトが電気的に接触することになる。
【０００３】
（ｃ）は（ｂ）を左側から見た正面図である。（ｄ）は（ｂ）を右側から見た背面図である。
保持ハウジング１９のコンタクト挿入孔２０にコンタクトが挿入されその後部が見えている状態である（以上、例えば特許文献１参照）。
【０００４】
図５は、従来の折り重ねコンタクトの第２の例である。
（ａ）は、コンタクト素材である金属平板から平面展開形状でプレス打ち抜きされたものである。
（ｂ）は側面図であり、左端を下へ折り曲げ折線Ｌで右の方へ折り重ねた図である。
折り曲げた部分がコンタクトの先端となる。このようなコンタクトを複数ハウジングにモールドインして用いられる（例えば、特許文献２参照）。
【特許文献１】特公平７−７０３３１号公報（第７図〜第９図）
【特許文献２】特開２００１−２２３０５１号公報（図１、図２、図５）
【発明の開示】
【発明が解決しようとする課題】
【０００５】
前記第１の従来例では、折り重ねたコンタクトを保持ハウジングのコンタクト挿入孔へ挿入するが、この挿入が可能なような孔の大きさにしておかなければならないため、保持ハウジングに対し、コンタクトの姿勢がばらつくという問題がある。
【０００６】
また、前記第２の従来例では、折り返し部分がコンタクトの先端になるが、折り返し部分を密着させるように１８０度折り返す加工は厄介であるという問題がある。
【０００７】
本発明は、上記従来の問題点に鑑みて、コンタクトを折り重ねではない重ねコンタクトとし、保持ハウジングのコンタクト挿入孔へ挿入したときコンタクト姿勢がばらつかないコネクタを提供することを課題とするものである。
【課題を解決するための手段】
【０００８】
本発明は上記の課題を解決するために、下記の手段構成を有する。
本発明コネクタの第１の構成は、コンタクトが、保持ハウジングのコンタクト挿入孔に圧入保持され、コンタクト挿入孔を貫通した一方部分が、相手方コネクタのコンタクトとの接触部となり、他方側に他回路との接続部を有するコネクタにおいて、コンタクトは、圧入保持される部分から相手方コンタクトとの接触部へかけては２つの導体が互いに圧入方向側面で密着し合った合わせ構造となっており、先端が揃った状態のとき両導体の後方で面一となる圧入力作用面を有し、いずれか一方の導体の、合わせ面とは反対側の背面には、圧入状態で挿入孔内壁から反力を受けるための突起を有し、ハウジングのコンタクト挿入孔へ突起部分が圧入された状態では突起部分は孔内壁にめり込み状になり孔内壁から受ける反力により、重ね合わせ導体を反対側の孔内壁に押し付け固定するようになっており、保持ハウジング後方ではいずれか一方の導体が延びて他回路との接続部を形成していることを特徴とするコネクタである。
【０００９】
本発明コネクタの第２の構成は、コンタクトが、保持ハウジングのコンタクト挿入孔に圧入保持され、コンタクト挿入孔を貫通した一方部分が、相手方コネクタのコンタクトとの接触部となり、他方側に他回路との接続部を有するコネクタにおいて、コンタクトは、圧入保持される部分から相手方コンタクトとの接触部へかけては２つの導体が互いに圧入方向側面で絶縁材を挟んで密着し合った合わせ構造となっており、先端が揃った状態のとき両導体の後方で面一となる圧入力作用面を有し、いずれか一方の導体の、合わせ面とは反対側の背面には、圧入状態で挿入孔内壁から反力を受けるための突起を有し、ハウジングのコンタクト挿入孔へ突起部分が圧入された状態では突起部分は孔内壁にめり込み状になり孔内壁から受ける反力により、重ね合わせ導体を反対側の孔内壁に押し付け固定するようになっており、保持ハウジング後方では両方の導体が延びて他回路との接続部を形成していることを特徴とするコネクタである。
【発明の効果】
【００１０】
第１の構成における効果は以下の通りである。
第１に、コンタクトの圧入保持される部分から相手方コンタクトとの接触部へかけて２つの導体の合わせ構造となっているため単一導体の場合よりも強度が向上する。
【００１１】
第２に、コンタクトの圧入完了状態では、重ね合わせ導体だけが入る第２寸法部分へ一方の導体の背面に設けられている突部も押し込まれ、孔内壁にめり込み状態となって孔内壁から反力を受け重ね合わせ導体を反対側の孔内壁に押し付け固定するので保持ハウジングに対しコンタクトの姿勢がばらつかず揃うようになる。
【００１２】
第３に、コンタクトの他回路との接続は重ね合わせ導体の一方だけが延びて行われるので接続部分の狭ピッチ化が図り易い。
【００１３】
第４に、接続部分を有する導体が同じでも他方の導体の径或いは厚みを変えることにより、相手方コンタクトとの接触部分の径或いは厚みを変えることができるのでコンタクトの接触部の寸法設計の自由度が広がる。
【００１４】
第５に、保持ハウジングへコンタクトを組み込むとき、重ね合わせ導体のうち、背面に突起のない方の導体の圧入力作用面を他方より後方にした重ね状態で、第２寸法部分入口へ突起が来るようにして仮挿入し、まず、後方にある圧入力作用面を押圧治具で押して行き他方の圧入力作用面と面一になったあとは両者を治具の同一面で一緒に押圧することにより、容易に重ね合わせ導体の先端が揃う圧入ができる。
【００１５】
第２の構成における効果は、第１の構成の第１の効果、第２の効果、第５の効果に加えて、重ね合わせ導体が絶縁材を挟んで密着し合っているので、第１の構成の１コンタクトのスペースで２回路の接触部が設けられ高密度のコネクタが得られる。
【発明を実施するための最良の形態】
【００１６】
いずれの構成においても、２つの導体を重ね合わせたコンタクトであるから、重ね後の形状が円柱であるよりは板状である方が最良の実施形態である。
第１の構成においては、コンタクトの寸法より接続部の寸法が小さいので、コンタクト部分を千鳥に配置して接続部を１列にして狭ピッチ化を図るのが最良の実施形態である。
【００１７】
第２の構成においては、重ね合わせ導体が別々の回路を構成するものであるから、複数コンタクトの各導体の他回路への接続部が等間隔の配列になるよう、重ね合わせ状態からより間隔を取るよう開いた形状とするのが最良の実施形態である。
【実施例１】
【００１８】
図１は、本発明コネクタの第１の構成の実施例の構造図である。
（ａ）は、保持ハウジング１のコンタクト挿入孔２へ合わせコンタクト３を挿入した後方から見た平面図である。（ｂ）は（ａ）を下方から見た一部断面側面図である。（ｃ）は（ｂ）をＡ−Ａ断面で見た側面断面図である。（ｄ）は（ｂ）を下方から見た嵌合面図である。
合わせコンタクト３は、（ｂ）に示す厚さ方向と（ｃ）に示す幅方向を持つ板状の２枚重ねとなっており、（ｂ）において左側導体の左側面に突起４を有している。
（ｂ）においてコンタクト挿入孔２は、上方部分は、コンタクトの２枚重ねの厚さと突起４を含めた寸法を有する第１寸法部分５であり、下方部分は２枚重ねの厚さ寸法だけの第２寸法部分６となっている。
【００１９】
従って第２寸法部分６へ、合わせコンタクト３の先端が揃った状態で突起４が圧入されると、突起４は保持ハウジング１の孔内壁にめり込むような状態となって、孔内壁から反力を受け、合わせコンタクトを反対側の孔内壁へ押し付けるようになる。これにより、合わせコンタクト３の保持ハウジング１に対する姿勢は揃うようになる。
図１の例では、コンタクトの接続部７は２点鎖線で示された基板８上に整列配置された電極（図示せず）に半田付けされるようになっている。
【００２０】
合わせコンタクト３は（ａ）に示すように千鳥に配置されており、いずれの合わせコンタクト３も図で左側の導体に基板８の電極との接続部７が設けられている。上側の列の合わせコンタクト３では、左側導体が立ち上って直ぐ接続部になっており、下側の列の合わせコンタクト３は基板８から離れているので、左側の導体から（ａ）、（ｃ）に示すように延伸部９が延びてその先端部が接続部７となっている。
【００２１】
このように、接続部７は合わせコンタクト３の片側の導体のみに設けられており、合わせコンタクト３より幅が狭いので合わせコンタクト３の配置を（ａ）のように千鳥にすることにより、合わせコンタクト３を１列に並べたときのピッチよりも狭いピッチの基板電極への接続が可能となる。
また、合わせコンタクト３が重なり合っている部分は、保持ハウジング１に保持されている部分と相手方コンタクトと接触する部分だけであるので、図１の（ｂ）において右側の導体の厚さを選択するのみで、相手方コンタクトと接触する部分の厚さ寸法を選択し得るので設計の自由度が広くなる。
【００２２】
図２は、保持ハウジング１のコンタクト挿入孔２へ合わせコンタクト３を仮挿入した状態を示す図である。
（ｂ）は、図１の（ｂ）と同様の一部断面側面図である。（ａ）は、（ｂ）の保持ハウジング１のＢ−Ｂ断面図であり、コンタクトについては、コンタクト３Ａの左側面と、コンタクト３Ｂの圧入力作用面１０Ｂが、コンタクト３Ａの圧入力作用面１０Ａより僅か高く見えている状態である。
図２の状態は、合わせコンタクト３を構成するコンタクト３Ａと３Ｂが、コンタクト３Ｂの先端がコンタクト３Ａの先端よりも少し上った状態で重ね合わされてコンタクト挿入孔２に挿入されている。
【００２３】
コンタクト挿入孔２の第１寸法部分５は、コンタクト３Ａ、３Ｂの厚さと突起４が入る寸法になっているが、第２寸法部分６は突起４が入らないので第２寸法部分６の入口の所で係止した状態となる。これが図２に示された仮挿入状態である。
このような状態で圧入治具で、まず、コンタクト３Ｂの圧入力作用面１０Ｂを押圧するとコンタクト３Ｂは下方へ前進し、圧入力作用面１０Ｂがコンタクト３Ａの圧入力作用面１０Ａに達したときに、コンタクト下方の先端が揃うことになる。
【００２４】
その後、圧入治具でコンタクト３Ａの圧入力作用面１０Ａをも一緒に押圧すると、コンタクト３Ａの突起４が第２寸法部分６へ押し込まれるが、第２寸法部分６は突起４が入る寸法よりは小さいので突起４はコンタクト挿入孔２の内壁にめり込みながら入って行くことになる。そして、圧入力作用面が保持ハウジングの上面と一致したときに圧入は完了する。
このような仮挿入状態を設けることにより、先端の揃った合わせコンタクト３が装着されることになる。
【実施例２】
【００２５】
図３は、本発明コネクタの第２の構成の実施例の構造を相手方コネクタとともに示す図である。
（ｂ）は、図２の（ｂ）と同様の方向からの一部断面側面図であり、（ａ）は（ｂ）の保持ハウジング１のＣ−Ｃ断面図であり、コンタクトについては、コンタクト１１Ａの左側面が見えており、コンタクト１１Ｂは同一形状のものが丁度重なっていて（ａ）の図では見えない。
【００２６】
図３の例では、コンタクト１１Ａとコンタクト１１Ｂが絶縁材１２を介して重ね合わせられて合わせコンタクト１１が構成されている。
保持ハウジング１のコンタクト挿入孔２に第１寸法部５、第２寸法部６があること、コンタクト１１Ａの左側面に突起４があることおよびそれらの作用については実施例１の場合と同じである。
実施例１と異なる点は、コンタクト１１Ａと１１Ｂが絶縁されているため別回路を構成しているという点である。
【００２７】
従って、相手方コネクタ１３の相手方コンタクト１４も、両面から挟んで接触するようになっているが、左右間は絶縁されており、結局、合わせコンタクト１１と相手方コンタクト１４は嵌合することにより独立する２回路の接触を行うことになり、接触回路の高密度化が実現できる。
コンタクト１１Ａおよび１１Ｂへの各接続部１５へ至る途中では、接続部１５のピッチが接続相手である基板８の電極ピッチに合うように、チューリップ状に開いて立ち上っている。
【図面の簡単な説明】
【００２８】
【図１】本発明コネクタの第１の構成の実施例の構造図である。
【図２】保持ハウジングのコンタクト挿入孔へ合わせコンタクトを仮挿入した状態を示す図である。
【図３】本発明コネクタの第２の構成の実施例の構造を相手方コネクタとともに示す図である。
【図４】従来の折り重ねコンタクトの第１の例を示す図である。
【図５】従来の折り重ねコンタクトの第２の例を示す図である。
【符号の説明】
【００２９】
１  保持ハウジング
２  コンタクト挿入孔
３  合わせコンタクト
３Ａ，３Ｂ  コンタクト
４  突起
５  第１寸法部分
６  第２寸法部分
７  接続部
８  基板
９  延伸部
１０Ａ  圧入力作用面
１０Ｂ  圧入力作用面
１１  合わせコンタクト
１１Ａ  コンタクト
１１Ｂ  コンタクト
１２  絶縁材
１３  相手方コネクタ
１４  相手方コンタクト
１５  接続部
１６  コンタクト
１７  嵌合口
１８  相手方コンタクト
１９  保持ハウジング
２０  コンタクト挿入孔
【図１】
2006286438.tif 000003
【図２】
2006286438.tif 000004
【図３】
2006286438.tif 000005
【図４】
2006286438.tif 000006
【図５】
2006286438.tif 000007